【手続補正書】
【提出日】平成18年4月7日(2006.4.7)
【手続補正１】
【補正対象書類名】明細書
【補正対象項目名】発明の名称
【補正方法】変更
【補正の内容】
【発明の名称】情報要約装置及び方法、並びにプログラム及び記憶媒体
【手続補正２】
【補正対象書類名】明細書
【補正対象項目名】特許請求の範囲
【補正方法】変更
【補正の内容】
【特許請求の範囲】
【請求項１】  圧縮率に基づいて情報を要約する情報要約装置において、
動的に圧縮率を算出する算出手段と、
前記算出手段により算出した圧縮率で情報の要約を作成する要約作成手段とを備えたことを特徴とする情報要約装置。
【請求項２】  圧縮率に基づいて情報を要約する情報要約装置であって、
要約処理を終了する予定時刻と現在の時刻とから出力可能時間を算出する時間算出手段と、
未出力の要約対象情報の量を算出する情報量算出手段と、
要約を出力する速度を保持する出力速度保持手段と、
前記時間算出手段が算出する出力可能時間と前記情報量算出手段が算出する要約対象情報量と前記出力速度保持手段が保持する出力速度とから圧縮率を算出する圧縮率算出手段と、
前記圧縮率算出手段により算出した圧縮率で要約対象情報データベース内の情報の要約を作成する要約情報作成手段と、
前記要約情報作成手段により作成した要約を出力する出力手段と
を備えたことを特徴とする情報要約装置。
【請求項３】  前記時間算出手段は、出力終了予定時刻を監視し且つ該出力終了予定時刻に変化が生じた場合に出力可能時間を再計算し、前記情報量算出手段は要約対象情報量を再計算し、前記圧縮率算出手段は圧縮率を再計算し、前記要約情報作成手段は該圧縮率で要約を作成することを特徴とする請求項２に記載の情報要約装置。
【請求項４】  前記情報量算出手段は、要約対象情報を格納する要約対象情報データベースを監視し且つ該要約対象情報データベースの情報量に変化が生じた場合に要約対象情報量を再計算し、前記時間算出手段は出力可能時間を再計算し、前記圧縮率算出手段は圧縮率を再計算し、前記要約情報作成手段は該圧縮率で要約情報を作成することを特徴とする請求項２に記載の情報要約装置。
【請求項５】  前記時間算出手段は、出力終了予定時刻を監視し且つ該出力終了予定時刻に変化が生じた場合に出力可能時間を再計算し、前記情報量算出手段は、要約対象情報を格納する要約対象情報データベースを監視し且つ該要約対象情報データベースの情報量に変化が生じた場合に要約対象情報量を再計算し、前記圧縮率算出手段は圧縮率を再計算し、前記要約情報作成手段は該圧縮率で要約情報を作成することを特徴とする請求項２に記載の情報要約装置。
【請求項６】  情報要約処理の中断/再開指示を受信する受信手段を備え、情報要約処理を再開する際に、前記時間算出手段で出力可能時間を再計算し、前記情報量算出手段で要約対象情報量を再計算し、前記圧縮率算出手段で圧縮率を再計算し、前記要約情報作成手段が該圧縮率で要約情報を作成することを特徴とする請求項２乃至５のいずれかに記載の情報要約装置。
【請求項７】  圧縮率に基づいて情報を要約する情報要約方法において、
動的に圧縮率を算出する算出工程と、
前記算出工程により算出した圧縮率で情報の要約を作成する要約情報作成工程と、
を備えたことを特徴とする情報要約方法。
【請求項８】  圧縮率に基づいて情報を要約する情報要約方法であって、
要約処理を終了する予定時刻と現在の時刻とから出力可能時間を算出する時間算出工程と、
未出力の要約対象情報の量を算出する情報量算出工程と、
要約を出力する速度を保持する出力速度保持工程と、
前記時間算出工程が算出する出力可能時間と前記情報量算出工程が算出する要約対象情報量と前記出力速度保持工程が保持する出力速度とから圧縮率を算出する圧縮率算出工程と、
前記圧縮率算出工程により算出した圧縮率で要約対象情報データベース内の情報の要約を作成する要約情報作成工程と、
前記要約情報作成工程で作成した要約情報を出力する出力工程と
を備えたことを特徴とする情報要約方法。
【請求項９】  前記時間算出工程は、出力終了予定時刻を監視し且つ該出力終了予定時刻に変化が生じた場合に出力可能時間を再計算し、前記情報量算出工程は要約対象情報量を再計算し、前記圧縮率算出工程は圧縮率を再計算し、前記要約情報作成工程は該圧縮率で要約情報を作成することを特徴とする請求項８に記載の情報要約方法。
【請求項１０】  前記情報量算出工程は、要約対象情報を格納する要約対象情報データベースを監視し且つ該要約対象情報データベースの情報量に変化が生じた場合に要約対象情報量を再計算し、前記時間算出工程は出力可能時間を再計算し、前記圧縮率算出工程は圧縮率を再計算し、前記要約情報作成工程は該圧縮率で要約情報を作成することを特徴とする請求項８に記載の情報要約方法。
【請求項１１】  前記時間算出工程は、出力終了予定時刻を監視し且つ該出力終了予定時刻に変化が生じた場合に出力可能時間を再計算し、前記情報量算出工程は、要約対象情報を格納する要約対象情報データベースを監視し且つ該要約対象情報データベースの情報量に変化が生じた場合に要約対象情報量を再計算し、前記圧縮率算出工程は圧縮率を再計算し、前記要約情報作成工程は該圧縮率で要約情報を作成することを特徴とする請求項８に記載の情報要約方法。
【請求項１２】  情報要約処理の中断/再開指示を受信する受信工程を備え、情報要約処理を再開する際に、前記時間算出工程は出力可能時間を再計算し、前記情報量算出工程は要約対象情報量を再計算し、前記圧縮率算出工程は圧縮率を再計算し、前記要約情報作成工程は該圧縮率で要約情報を作成することを特徴とする請求項８乃至１１に記載の情報要約方法。
【請求項１３】  請求項８乃至１２のいずれかに記載の情報要約方法が備えた各工程をコンピュータに実行させるためのプログラムコードから成ることを特徴とする制御プログラム。
【請求項１４】  請求項１３に記載の制御プログラムを格納したことを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、情報の要約を自動的に作成する情報要約装置に係り、特に、動的に要約量を調節可能な情報要約装置及び方法、並びにプログラム及び記憶媒体に関する。
【手続補正４】
【補正対象書類名】明細書
【補正対象項目名】００１５
【補正方法】変更
【補正の内容】
【００１５】
本発明は、上記従来技術の有する問題点を解消するためになされたもので、その目的は、ユーザが圧縮率を設定し直さなくても、限られた時間の中で効率的に情報を獲得できる情報要約装置及び方法、並びにプログラム及び記憶媒体を提供することである。
【手続補正５】
【補正対象書類名】明細書
【補正対象項目名】００１６
【補正方法】変更
【補正の内容】
【００１６】
【課題を解決するための手段】
上記目的を達成するために、本発明の情報要約装置は、動的に圧縮率を算出する算出手段と、前記算出手段により算出した圧縮率で情報の要約を作成する要約作成手段とを備えたことを特徴とする。
本発明の情報要約装置は、圧縮率に基づいて情報を要約する情報要約装置であって、要約処理を終了する予定時刻と現在の時刻とから出力可能時間を算出する時間算出手段と、
未出力の要約対象情報の量を算出する情報量算出手段と、要約を出力する速度を保持する出力速度保持手段と、前記時間算出手段が算出する出力可能時間と前記情報量算出手段が算出する要約対象情報量と前記出力速度保持手段が保持する出力速度とから圧縮率を算出する圧縮率算出手段と、前記圧縮率算出手段により算出した圧縮率で要約対象情報データベース内の情報の要約を作成する要約情報作成手段と、前記要約情報作成手段により作成した要約を出力する出力手段とを備えたことを特徴とする。
本発明の情報要約方法は、圧縮率に基づいて情報を要約する情報要約方法において、動的に圧縮率を算出する算出工程と、前記算出工程により算出した圧縮率で情報の要約を作成する要約情報作成工程と、を備えたことを特徴とする。
本発明の情報要約方法は、圧縮率に基づいて情報を要約する情報要約方法であって、
要約処理を終了する予定時刻と現在の時刻とから出力可能時間を算出する時間算出工程と、未出力の要約対象情報の量を算出する情報量算出工程と、要約を出力する速度を保持する出力速度保持工程と、前記時間算出工程が算出する出力可能時間と前記情報量算出工程が算出する要約対象情報量と前記出力速度保持工程が保持する出力速度とから圧縮率を算出する圧縮率算出工程と、前記圧縮率算出工程により算出した圧縮率で要約対象情報データベース内の情報の要約を作成する要約情報作成工程と、前記要約情報作成工程で作成した要約情報を出力する出力工程とを備えたことを特徴とする。
本発明の制御プログラムは、上記情報要約方法が備えた各工程をコンピュータに実行させるためのプログラムコードから成ることを特徴とする。
本発明のコンピュータ読取り可能な記憶媒体は、上記制御プログラムを格納したことを特徴とする。
【手続補正６】
【補正対象書類名】明細書
【補正対象項目名】００６０
【補正方法】削除
【補正の内容】
【手続補正７】
【補正対象書類名】明細書
【補正対象項目名】００６１
【補正方法】削除
【補正の内容】
【手続補正８】
【補正対象書類名】明細書
【補正対象項目名】００６２
【補正方法】削除
【補正の内容】
【手続補正９】
【補正対象書類名】明細書
【補正対象項目名】００６３
【補正方法】削除
【補正の内容】
【手続補正１０】
【補正対象書類名】明細書
【補正対象項目名】００６４
【補正方法】削除
【補正の内容】
【手続補正１１】
【補正対象書類名】明細書
【補正対象項目名】００６５
【補正方法】削除
【補正の内容】
【手続補正１２】
【補正対象書類名】明細書
【補正対象項目名】００６６
【補正方法】削除
【補正の内容】
【手続補正１３】
【補正対象書類名】明細書
【補正対象項目名】００６７
【補正方法】削除
【補正の内容】
【手続補正１４】
【補正対象書類名】明細書
【補正対象項目名】００６８
【補正方法】削除
【補正の内容】
【手続補正１５】
【補正対象書類名】明細書
【補正対象項目名】００６９
【補正方法】削除
【補正の内容】
【手続補正１６】
【補正対象書類名】明細書
【補正対象項目名】００７０
【補正方法】削除
【補正の内容】
【手続補正１７】
【補正対象書類名】明細書
【補正対象項目名】００７１
【補正方法】削除
【補正の内容】
【手続補正１８】
【補正対象書類名】明細書
【補正対象項目名】００７２
【補正方法】削除
【補正の内容】
【手続補正１９】
【補正対象書類名】明細書
【補正対象項目名】００７３
【補正方法】削除
【補正の内容】
【手続補正２０】
【補正対象書類名】明細書
【補正対象項目名】００７４
【補正方法】削除
【補正の内容】